(57)【要約】      （修正有）【課題】リンクが設定されていないＷｅｂページにおいても、コンテンツの利用を容易にすることができる、携帯端末、モバイル通信装置、携帯端末の制御方法および携帯端末の制御プログラムを提供する。【解決手段】携帯端末１は、表示画面に表示するための表示データに含まれるテキストデータを取得するテキストデータ取得部と、取得されたテキストデータに含まれるコンテンツを抽出するコンテンツ抽出部１２と、基地局を介したモバイル通信機能を有するモバイル通信装置に対して、抽出されたコンテンツに係るコンテンツ情報を転送するコンテンツ情報転送部１４とを備える。【選択図】図１
2019101884.tif 000002
【特許請求の範囲】
【請求項１】
表示画面に表示するための表示データに含まれるテキストデータを取得するテキストデータ取得部と、
取得された前記テキストデータに含まれるコンテンツを抽出するコンテンツ抽出部と、
基地局を介したモバイル通信機能を有するモバイル通信装置に対して、抽出された前記コンテンツに係るコンテンツ情報を転送するコンテンツ情報転送部と
を備える、携帯端末。
【請求項２】
前記テキストデータ取得部は、前記携帯端末の利用者が前記表示データの所定の範囲を選択したときに前記表示画面に表示される前記範囲をコピーするためのコピーボタンを前記利用者が押下した場合に前記テキストデータを取得する、請求項１に記載の携帯端末。
【請求項３】
前記携帯端末において動作する複数のアプリケーションプログラムを制御するアプリ制御部さらに備え、
前記テキストデータ取得部は、前記携帯端末の利用者が前記表示データの所定の範囲を選択したときに前記表示画面に表示される共有ボタンを前記利用者が操作して前記範囲を所定のアプリケーションプログラムにおいて共有させた場合に前記テキストデータを取得する、請求項１又は２に記載の携帯端末。
【請求項４】
前記コンテンツ抽出部は、前記コンテンツとして電話番号を抽出し、
前記コンテンツ情報転送部は、前記コンテンツ情報として抽出した前記電話番号に基づき前記モバイル通信装置において架電を可能にする架電情報を転送する、請求項１から３のいずれか一項に記載の携帯端末。
【請求項５】
前記コンテンツ抽出部は、前記コンテンツとして郵便番号を抽出し、
前記コンテンツ情報転送部は、前記コンテンツ情報として抽出した前記郵便番号に基づく住所を検索して、検索された前記住所を転送する、請求項１から４のいずれか一項に記載の携帯端末。
【請求項６】
前記コンテンツ抽出部は、前記コンテンツとして人名を抽出し、
前記コンテンツ情報転送部は、前記コンテンツ情報として抽出した前記人名に基づく住所又は連絡先を検索して、検索された前記住所又は連絡先を転送する、請求項１から５のいずれか一項に記載の携帯端末。
【請求項７】
前記コンテンツ情報転送部は、転送先として予め設定された通信装置に対して前記コンテンツ情報を転送する、請求項１から６のいずれか一項に記載の携帯端末。
【請求項８】
前記コンテンツ情報転送部は、無線通信において予めペアリングされた通信装置に対して前記コンテンツ情報を転送する、請求項７に記載の携帯端末。
【請求項９】
前記携帯端末が前記モバイル通信機能を有するか否かを検出するモバイル機能検出部をさらに備え、
前記コンテンツ情報転送部は、前記モバイル通信機能が検出されなかった場合に前記コンテンツ情報を転送する、請求項１から８のいずれか一項に記載の携帯端末。
【請求項１０】
表示画面に表示された表示データの中からコンテンツを抽出する携帯端末から、抽出された前記コンテンツに基づくコンテンツ情報を取得するコンテンツ情報取得部と、
取得された前記コンテンツ情報に基づき、基地局を介したモバイル通信を開始するモバイル通信開始部と
を備える、モバイル通信装置。
【請求項１１】
表示画面に表示するための表示データに含まれるテキストデータを取得するテキストデータ取得ステップと、
取得された前記テキストデータに含まれるコンテンツを抽出するコンテンツ抽出ステップと、
基地局を介したモバイル通信機能を有するモバイル通信装置に対して、抽出された前記コンテンツに係るコンテンツ情報を転送するコンテンツ情報転送ステップと
を含む、携帯端末の制御方法。
【請求項１２】
コンピュータを、請求項１から９のいずれか一つに記載の携帯端末として機能させるための携帯端末制御プログラム。
【発明の詳細な説明】
【技術分野】
【０００１】
本発明は、携帯端末、通信装置、携帯端末の制御方法および携帯端末の制御プログラムに関する。
【背景技術】
【０００２】
従来から、基地局との無線通信を介したモバイル通信を行う携帯電話機などの携帯端末の表示画面に表示するためのＷｅｂページにおいては、テキストデータ等の表示データにリンクを設定することにより、リンクされたコンテンツに応じた動作を行わせることができる。例えば、リンクされたコンテンツが電話番号であった場合、携帯端末の表示画面に電話番号を表示して、利用者が表示された電話番号をタッチすることにより携帯端末が有する電話機能を利用した架電が実行される携帯端末がある（例えば、特許文献１を参照）。また、リンクされたコンテンツがＵＲＬ（Ｕｎｉｆｏｒｍ  Ｒｅｓｏｕｒｃｅ  Ｌｏｃａｔｏｒ）であった場合、ＵＲＬで示されるＷｅｂページを表示する携帯端末がある。
【０００３】
一方、タブレットＰＣ等の携帯端末においては、モバイル通信機能がオプションである端末が近年増加している。これらの端末においてはリンクされたコンテンツに応じた動作を実行できないため、携帯端末に表示するためのＷｅｂページにおいても電話番号等のコンテンツをリンクしないページが増加している。
【先行技術文献】
【特許文献】
【０００４】
【特許文献１】特開２０１４−２１９９９６号公報
【発明の概要】
【発明が解決しようとする課題】
【０００５】
しかし、リンクが設定されていないＷｅｂページにおいてテキストデータに含まれる電話番号等のコンテンツを利用する場合、Ｗｅｂページの中から所定の範囲のテキストデータをカーソルで選択し、選択した範囲のテキストデータをコピーして、電話機能を利用した架電を行ったり、コピーしたテキストデータをメールに張り付けて他の携帯端末に送信したりする必要があり、コンテンツの利用に手間が掛かる場合があった。
【０００６】
本発明は上記事情に鑑みてなされたものであり、Ｗｅｂページにおいてリンクが設定されていないコンテンツの利用を容易にすることができる、携帯端末、通信装置、携帯端末の制御方法および携帯端末の制御プログラムを提供することを一つの目的とする。
【課題を解決するための手段】
【０００７】
（１）上記の課題を解決するため、実施形態の携帯端末は、表示画面に表示するための表示データに含まれるテキストデータを取得するテキストデータ取得部と、取得された前記テキストデータに含まれるコンテンツを抽出するコンテンツ抽出部と、基地局を介したモバイル通信機能を有するモバイル通信装置に対して、抽出された前記コンテンツに係るコンテンツ情報を転送するコンテンツ情報転送部とを備える。
【０００８】
（２）また、実施形態の携帯端末において、前記テキストデータ取得部は、前記携帯端末の利用者が前記表示データの所定の範囲を選択したときに前記表示画面に表示される前記範囲をコピーするためのコピーボタンを前記利用者が押下した場合に前記テキストデータを取得する。
【０００９】
（３）また、実施形態の携帯端末において、前記携帯端末において動作する複数のアプリケーションプログラムを制御するアプリ制御部さらに備え、前記テキストデータ取得部は、前記携帯端末の利用者が前記表示データの所定の範囲を選択したときに前記表示画面に表示される共有ボタンを前記利用者が操作して前記範囲を所定のアプリケーションプログラムにおいて共有させた場合に前記テキストデータを取得する。
【００１０】
（４）また、実施形態の携帯端末において、前記コンテンツ抽出部は、前記コンテンツとして電話番号を抽出し、前記コンテンツ情報転送部は、前記コンテンツ情報として抽出した前記電話番号に基づき前記モバイル通信装置において架電を可能にする架電情報を転送する。
【００１１】
（５）また、実施形態の携帯端末において、前記コンテンツ抽出部は、前記コンテンツとして郵便番号を抽出し、前記コンテンツ情報転送部は、前記コンテンツ情報として抽出した前記郵便番号に基づく住所を検索して、検索された前記住所を転送する。
【００１２】
（６）また、実施形態の携帯端末において、前記コンテンツ抽出部は、前記コンテンツとして人名を抽出し、前記コンテンツ情報転送部は、前記コンテンツ情報として抽出した前記人名に基づく住所又は連絡先を検索して、検索された前記住所又は連絡先を転送する。
【００１３】
（７）また、実施形態の携帯端末において、前記コンテンツ情報転送部は、転送先として予め設定された通信装置に対して前記コンテンツ情報を転送する。
【００１４】
（８）また、実施形態の携帯端末において、前記コンテンツ情報転送部は、無線通信において予めペアリングされた通信装置に対して前記コンテンツ情報を転送する。
【００１５】
（９）また、実施形態の携帯端末において、前記携帯端末が前記モバイル通信機能を有するか否かを検出するモバイル機能検出部をさらに備え、前記コンテンツ情報転送部は、前記モバイル通信機能が検出されなかった場合に前記コンテンツ情報を転送する。
【００１６】
（１０）上記の課題を解決するため、実施形態のモバイル通信装置は、表示画面に表示された表示データの中からコンテンツを抽出する携帯端末から、抽出された前記コンテンツに基づくコンテンツ情報を取得するコンテンツ情報取得部と、取得された前記コンテンツ情報に基づき、基地局を介したモバイル通信を開始するモバイル通信開始部とを備える。
【００１７】
（１１）上記の課題を解決するため、実施形態の携帯端末の制御方法は、表示画面に表示するための表示データに含まれるテキストデータを取得するテキストデータ取得ステップと、取得された前記テキストデータに含まれるコンテンツを抽出するコンテンツ抽出ステップと、基地局を介したモバイル通信機能を有するモバイル通信装置に対して、抽出された前記コンテンツに係るコンテンツ情報を転送するコンテンツ情報転送ステップとを含む。
【００１８】
（１２）上記の課題を解決するため、実施形態の携帯端末の制御プログラムは、コンピュータを、上記いずれか一つに記載の携帯端末として機能させるための携帯端末制御プログラム。
【発明の効果】
【００１９】
一つの実施形態によれば、リンクが設定されていないＷｅｂページにおいても、コンテンツの利用を容易にすることができる、携帯端末、通信装置、携帯端末の制御方法および携帯端末の制御プログラムを提供することができる。
【図面の簡単な説明】
【００２０】
【図１】実施形態における携帯端末のソフトウェア構成の一例を示すブロック図である。
【図２】実施形態における携帯端末１のハードウェア構成の一例を示すブロック図である。
【図３】実施形態における携帯端末制御プログラムの動作の一例を示すフローチャートである。
【図４】実施形態における携帯端末制御プログラムの動作の他の一例を示すフローチャートである。
【図５】実施形態におけるモバイル通信装置のソフトウェア構成の一例を示すブロック図である。
【図６】実施形態におけるモバイル通信装置２の制御プログラムの動作の他の一例を示すフローチャートである。
【図７】実施形態における携帯端末１の表示画面における表示の一例を示す図である。
【図８】実施形態における携帯端末１の表示画面における表示の一例を示す図である。
【図９】実施形態における携帯端末１の表示画面における表示の一例を示す図である。
【図１０】実施形態における携帯端末１の表示画面における表示の一例を示す図である。
【図１１】実施形態における携帯端末１の表示画面における表示の一例を示す図である。
【発明を実施するための形態】
【００２１】
以下、図面を参照して本発明の一実施形態における携帯端末、通信装置、携帯端末の制御方法および携帯端末の制御プログラムについて詳細に説明する。
【００２２】
先ず、図１を用いて、携帯端末のソフトウェア構成を説明する。図１は、実施形態における携帯端末のソフトウェア構成の一例を示すブロック図である。
【００２３】
図１において、携帯端末１は、表示データ取得部１１、コンテンツ抽出部１２、コンテンツ情報生成部１３、コンテンツ情報転送部１４、アプリ制御部１５、モバイル機能検出部１６、無線通信制御部１７及び表示制御部１８の各機能を有する。本実施形態における携帯端末１の上記各機能は、携帯端末１を制御する携帯端末制御プログラム（ソフトウェア）によって実現される機能モジュールであるものとして説明する。
【００２４】
携帯端末１は、利用者が携帯することができる端末装置であって、例えば、ノートＰＣ、タブレットＰＣ等の装置である。
【００２５】
［表示データの第１の取得方法］
表示データ取得部１１は、表示画面に表示するための表示データを取得する。表示画面は、例えば、携帯端末１が有するタッチパネルである。表示画面に表示するための表示データは、例えば、Ｗｅｂサーバから取得されたＷｅｂページ（Ｗｅｂ画面）である。表示データ取得部１１は、例えば、Ｗｅｂページに含まれる表示データを取得する。表示データは、例えば、テキストまたは画像データ等である。利用者がＷｅｂページに含まれる表示データの所定範囲を選択して表示画面に表示される範囲をコピーするためのコピーボタンを押下した場合、選択された表示データは携帯端末１のメモリ領域（クリップボード）に一時的に保存される。表示データの第１の取得方法において、表示データ取得部１１は、携帯端末１の利用者が表示データの所定の範囲を選択したときに表示画面に表示されるコピーボタンを押下した場合に選択された表示データを取得する。表示データ取得部１１は、例えば、メモリ領域を監視して、表示データがメモリ領域に保存されたときに、保存された表示データを読み出すことにより表示データを取得することができる。また、表示データ取得部１１は、メモリ領域に保存された表示データを監視して読み出す他の機能から表示データを受信することにより表示データを取得してもよい。なお、本実施形態における表示データには、利用者が選択可能なものであればよく、テキストデータ、画像データ、または、テキストデータと画像データの両方を含むもの等であってもよい。また、テキストデータは、テキストデータを含む二次元コード等のデータであってもよい。
【００２６】
コンテンツ抽出部１２は、表示データ取得部１１において取得された表示データに含まれるコンテンツを抽出する。表示データに含まれるコンテンツは、携帯端末１の動作に利用される情報であり、例えば、電話番号、またはＵＲＬ等である。例えば、コンテンツ抽出部１２は、取得された表示データに含まれるコンテンツ（電話番号やＵＲＬ）を抽出する。コンテンツの抽出は、例えば、表示データの文字列がコンテンツの種類に応じた特徴を有するか否かを判断することで実行することができる。例えば、コンテンツが電話番号であれば、文字列は連続した所定の桁数の数字、ハイフンやカッコと数字の組合せ等の特徴を有している。また、コンテンツがＵＲＬである場合、文字列は規定されたＵＲＬの正規表現を有している。コンテンツ抽出部１２は、文字列の中から電話番号やＵＲＬが有する文字列の特徴を抽出してコンテンツの種類を判断することができる。これにより、Ｗｅｂページにおいてリンクが設定されていない表示データであっても種類に応じたコンテンツの利用が可能になる。
【００２７】
コンテンツ情報生成部１３は、コンテンツ抽出部１２において抽出されたコンテンツに係るコンテンツ情報を生成する。コンテンツ情報生成部１３は、次に説明するコンテンツ情報転送部１４からコンテンツ情報を転送するモバイル通信装置において利用可能なコンテンツ情報を生成する。
【００２８】
例えば、コンテンツ情報生成部１３は、コンテンツが電話番号であった場合、電話番号の表示データにコンテンツが電話番号であることを示す識別情報を付加したコンテンツ情報を生成する。電話番号のコンテンツを含むコンテンツ情報を取得したモバイル通信装置は、コンテンツ情報に含まれる電話番号に架電する動作を行うことができる。また、コンテンツ情報生成部１３は、コンテンツが郵便番号であった場合、コンテンツ情報として抽出した郵便番号に基づく住所を検索して、検索された住所を含むコンテンツ情報を生成してもよい。また、コンテンツ情報生成部１３は、コンテンツが人名であった場合、コンテンツ情報として抽出した人名に基づく住所または連絡先を検索して、検索された住所または連絡先を含むコンテンツ情報を生成してもよい。
【００２９】
また、コンテンツ情報生成部１３は、コンテンツの表示データにコンテンツの転送に必要なデータを付加したコンテンツ情報を生成してもよい。例えば、コンテンツのデータ転送にヘッダ情報が必要である場合、コンテンツ情報生成部１３は、ヘッダ情報を含むコンテンツ情報を生成するようにしてもよい。また、コンテンツ情報生成部１３は、コンテンツに対して、暗号化処理、データの基数変換等を実行するものであってもよい。なお、コンテンツ情報は、コンテンツに対する情報の付加等を行わないコンテンツそのままであってもよい。
【００３０】
コンテンツ情報転送部１４は、コンテンツ情報生成部１３において生成されたコンテンツ情報をモバイル通信装置に対して転送する。モバイル通信装置は基地局との無線通信を介したモバイル通信機能を有する装置であって、コンテンツ情報を利用可能な装置である。モバイル通信装置は、例えば、スマートフォン、または携帯電話等である。コンテンツ情報転送部１４によるコンテンツ情報転送の方法は任意である。例えば、コンテンツ情報転送部１４は、ＲＦＩＤ（Ｒａｄｉｏ  Ｆｒｅｑｕｅｎｃｙ  ＩＤｅｎｔｉｆｉｃａｔｉｏｎ）、Ｂｌｕｅｔｏｏｔｈ（登録商標）、赤外線通信等の近距離無線通信を用いてモバイル通信装置に対してコンテンツ情報を転送することができる。また、携帯端末１とモバイル通信装置との通信接続のタイミングは任意であり、携帯端末１とモバイル通信装置は、常時接続されていてもよく、また、コンテンツ情報転送前に都度接続されてもよい。また、コンテンツ情報の転送方式は、コンテンツ情報転送部１４からのプッシュ型の送信であっても、モバイル通信装置からのプル型の送信であってもよい。
【００３１】
コンテンツ情報転送部１４は、転送先として予め設定されたモバイル通信装置に対してコンテンツ情報を転送することができる。転送先の設定は、例えば転送先を記録する記録部に対して利用者が転送先のモバイル通信装置を登録することにより行うことができる。モバイル通信装置の登録は、例えば、モバイル通信装置をアクセスポイントとする識別情報を設定することにより行うことができる。また、モバイル通信装置の登録は、携帯端末１とモバイル通信装置を予め無線通信でペアリングしておくことにより行ってもよい。なお、コンテンツ情報を転送する場合、コンテンツ情報転送部１４は、利用者に対して転送先のモバイル通信装置の確認または選択ができるＵＩ（Ｕｓｅｒ  Ｉｎｔｅｒｆａｃｅ）を提供するようにしてもよい。
【００３２】
アプリ制御部１５は、携帯端末１において動作する複数のアプリケーションプログラムを制御する。携帯端末１において動作するアプリケーションプログラム（以下、「アプリ」と省略する。）とは、携帯端末１のオペレーティングシステム上で動作するアプリである。携帯端末１の利用者は、表示画面に表示された表示データの所定の範囲を選択して、表示画面に表示される共有ボタンを操作することにより、選択した範囲の表示データを携帯端末１で動作するアプリで共有させることができる。例えば、アプリ制御部１５は、選択された表示データを利用可能なアプリの一覧を選択可能に表示画面に表示して、表示データを利用するアプリを利用者が選択できるＵＩを提供する。アプリ制御部１５は、選択されたアプリに対して表示データを提供して、表示データに基づくアプリの動作を制御する。
【００３３】
［表示データの第２の取得方法］
ここで、表示データ取得部１１における表示データの第２の取得方法について説明する。表示データの第２の取得方法において、表示データ取得部１１は、利用者が表示データの所定の範囲を選択したときに表示画面に表示される共有ボタンを操作してコンテンツ情報転送アプリを選択したときに、選択された表示データを取得する。コンテンツ情報転送アプリとは、例えば、表示データ取得部１１、コンテンツ抽出部１２、コンテンツ情報生成部１３、コンテンツ情報転送部１４、アプリ制御部１５及びモバイル機能検出部１６の機能を有するまたは利用することができるアプリである。すなわち、表示データの第２の取得方法においては、コンテンツ情報転送アプリを起動することにより表示データを取得する。
【００３４】
表示データ取得部１１は、表示データの第１の取得方法と第２の取得方法の少なくともいずれか一方の方法において表示データを取得することができる。表示データ取得部１１は、表示データの第１の取得方法と第２の取得方法の両方の方法において表示データを取得してもよい。表示データ取得部１１は、表示データの第１の取得方法と第２の取得方法の両方を提供することにより携帯端末１の利用者の好みによる操作を可能とすることができる。なお、表示データの取得方法を複数提供する場合、いずれか一の方法を利用するように設定できるようにしてもよい。
【００３５】
モバイル機能検出部１６は、携帯端末１がモバイル通信を行うモバイル通信機能を有するか否かを検出する。モバイル通信機能は、例えば、音声通話やデータ通信を、基地局を介したモバイル通信において実行する機能である。携帯端末１は、ノートＰＣ、またはタブレットＰＣ等の装置であって、モバイル通信機能を有する機種とモバイル通信機能を有さない機種（オプションで追加可能な場合を含む）が存在する場合がある。携帯端末１がモバイル通信機能を有している場合、自機のモバイル通信を利用して、コンテンツ情報に基づく音声通話やデータ通信等のコンテンツ情報利用処理を行うことができる。一方、携帯端末１がモバイル通信機能を有していない場合、自機においてはモバイル通信を利用したコンテンツ情報利用処理をすることができない。すなわち、モバイル機能検出部１６においてモバイル通信機能を有するか否かを検出することによって、自機においてコンテンツ情報に基づくコンテンツ情報利用処理を行うことができるか否かを検出することができる。コンテンツ情報転送部１４は、モバイル機能検出部１６において通信機能が検出されなかった場合にコンテンツ情報をモバイル通信装置に転送する。これにより、自機では実行できないコンテンツ情報利用処理をモバイル通信装置において実行することが可能となる。
【００３６】
無線通信制御部１７は、モバイル通信装置との無線通信を制御する。無線通信制御部１７は、上述の通り、ＲＦＩＤ、Ｂｌｕｅｔｏｏｔｈ、赤外線通信等の近距離無線通信を制御する。無線通信制御部１７は、コンテンツ情報転送部１４から転送するコンテンツ情報を、所定の無線通信において送信する。無線通信制御部１７は、コンテンツ情報転送部１４からの指示に基づき、近距離無線通信の通信方法を変更するものであってもよい。
【００３７】
表示制御部１８は、携帯端末１の表示画面の表示を制御する。表示画面は、例えば、液晶パネル、有機ＥＬ（Ｅｌｅｃｔｒｏ  Ｌｕｍｉｎｅｓｃｅｎｃｅ）パネル等である。
【００３８】
なお、携帯端末１が有する、表示データ取得部１１、コンテンツ抽出部１２、コンテンツ情報生成部１３、コンテンツ情報転送部１４、アプリ制御部１５、モバイル機能検出部１６、無線通信制御部１７及び表示制御部１８の各機能は、携帯端末１の機能の一例を示したものであり、携帯端末が有する機能を限定したものではない。例えば、携帯端末１は、上記全ての機能を有している必要はなく、一部の機能を有するものであってもよい。また、携帯端末１は、上記以外の他の機能を有していてもよい。
【００３９】
また携帯端末１が有する上記各機能は、上述の通り、ソフトウェアによって実現されるものとして説明した。しかし、携帯端末１が有する上記機能の中で少なくとも１つ以上の機能は、ハードウェアによって実現されるものであっても良い。
【００４０】
また、携帯端末１が有する上記何れかの機能は、１つの機能を複数の機能に分割して実施してもよい。また、携帯端末１が有する上記何れか２つ以上の機能を１つの機能に集約して実施してもよい。すなわち、図１は、携帯端末１が有する機能を機能ブロックで表現したものであり、例えば、各機能がそれぞれ別個のプログラムファイルで構成されていることを示すものではない。
【００４１】
また、携帯端末１は、１つの筐体によって実現される装置であっても、ネットワーク等を介して接続された複数の装置から実現されるシステムであってもよい。例えば、携帯端末１は、その機能の一部または全部をクラウドコンピューティングシステムによって提供されるクラウドサービス等、仮想的な装置によって実現するものであってもよい。すなわち、携帯端末１は、上記各機能のうち、少なくとも１以上の機能を他の装置において実現するようにしてもよい。また、携帯端末１は、タブレットＰＣ等の汎用的なコンピュータであってもよく、カーナビゲーション装置等、機能が限定された専用の装置であってもよい。
【００４２】
次に、図２を用いて、携帯端末１のハードウェア構成を説明する。図２は、実施形態における携帯端末１のハードウェア構成の一例を示すブロック図である。
【００４３】
携帯端末１は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、タッチパネル１０４および通信Ｉ／Ｆ（Ｉｎｔｅｒｆａｃｅ）１０５を有する。携帯端末１は、図１で説明した携帯端末プログラムを実行する装置である。
【００４４】
ＣＰＵ１０１は、ＲＡＭ１０２またはＲＯＭ１０３に記憶された携帯端末制御プログラムを実行することにより、携帯端末１の制御を行う。携帯端末制御プログラムは、例えば、携帯端末制御プログラムを記録した記録媒体、又はネットワークを介したプログラム配信サーバ等から取得されて、ＲＯＭ１０１にインストールされ、ＣＰＵ１０１から読出されて実行される。
【００４５】
タッチパネル１０４は、操作入力機能と表示機能（操作表示機能）を有する。タッチパネル１０４は、携帯端末１の利用者に対して指先又はタッチペン等を用いた操作入力を可能にする。本実施形態における携帯端末１は操作表示機能を有するタッチパネル１０４を用いる場合を説明するが、携帯端末１は、表示機能を有する表示装置と操作入力機能を有する操作入力装置とを別個有するものであってもよい。その場合、タッチパネル１０４の表示画面は表示装置の表示画面、タッチパネル１０４の操作は操作入力装置の操作として実施することができる。なお、タッチパネル１０４は、ヘッドマウント型、メガネ型、腕時計型のディスプレイ等の種々の形態によって実現されてもよい。
【００４６】
通信Ｉ／Ｆ１０５は、モバイル通信装置との無線通信用のＩ／Ｆである。通信Ｉ／Ｆ１０５は、例えば、無線ＬＡＮ、有線ＬＡＮ、赤外線等の近距離無線通信を実行する。図２において通信Ｉ／Ｆは通信Ｉ／Ｆ１０５のみを図示するが、携帯端末１は複数の通信方式においてそれぞれの通信Ｉ／Ｆを有するものであってもよい。
【００４７】
次に、図３を用いて、表示データの第１の取得方法における携帯端末制御プログラムの動作を説明する。図３は、実施形態における携帯端末制御プログラムの動作の一例を示すフローチャートである。以下のフローチャートの説明において、動作の実行主体は携帯端末１であるものとして説明するが、それぞれの動作は、上述した携帯端末１の各機能において実行される。
【００４８】
図３において、携帯端末１は、メモリ領域の監視を開始する（ステップＳ１１）。メモリ領域は、表示データのコピーが記憶される領域である。利用者がＷｅｂページに含まれる表示データの所定範囲を選択して表示画面に表示される範囲をコピーするためのコピーボタンを押下した場合に、選択された表示データがメモリ領域に一時的に保存される。メモリ領域の監視の開始は、利用者による明示的な操作において実行することができる。また、メモリ領域の監視の開始は、携帯端末１の起動時に自動的に実行されるようにしてもよい。
【００４９】
ステップＳ１１の処理を実行した後、携帯端末１は、メモリ領域への表示データの記録があるか否かを判断する（ステップＳ１２）。表示データの記録がない場合（ステップＳ１２：ＮＯ）、携帯端末１は、ステップＳ１２の処理を繰り返して、表示データの記録を待機する。
【００５０】
一方、表示データの記録がある場合（ステップＳ１２：ＹＥＳ）、携帯端末１は、記録された表示データを取得する（ステップＳ１３）。例えば、表示データ取得部１１において取得された表示データは、コンテンツ抽出部１２に対して提供される。ステップＳ１３の処理を実行した後、携帯端末１は、表示データに含まれるコンテンツを検出する（ステップＳ１４）。抽出対象のコンテンツは、例えば、表示データに含まれる電話番号、郵便番号、ＵＲＬ、人名、会社名、または住所等のテキスト情報である。また、抽出対象のコンテンツは、二次元コード、バーコード、所定のマーク、または特定の画像等であってもよい。抽出対象のコンテンツの種類は予め設定できるようにしておいてもよい。
【００５１】
ステップＳ１４の処理を実行した後、携帯端末１は、ステップＳ１４の処理においてコンテンツが検出されたか否かを判断する（ステップＳ１５）。コンテンツが検出されていない場合（ステップＳ１５：ＮＯ）、携帯端末１は、ステップＳ１２の処理に戻り表示データが記録されるのを待機する。
【００５２】
一方、コンテンツが検出された場合（ステップＳ１５：ＹＥＳ）、携帯端末１は、コンテンツ情報を生成する（ステップＳ１６）。例えば、上述のようにコンテンツが郵便番号であった場合、郵便番号に基づく住所を検索して、検索された住所を含むコンテンツ情報を生成する。また、コンテンツが人名であった場合、人名に基づく住所または連絡先を検索して、検索された住所または連絡先を含むコンテンツ情報を生成してもよい。また、コンテンツが二次元コードであった場合、二次元コードに含まれる情報を読み取り、読み取った情報に基づくコンテンツ情報を生成してもよい。また、コンテンツが画像であった場合、類似画像を検索し、検索された画像の付帯情報を取得して、付帯情報を含むコンテンツ情報を生成してもよい。
【００５３】
ステップＳ１６の処理を実行した後、携帯端末１は、ステップＳ１５の処理において生成されたコンテンツ情報をモバイル通信装置に対して転送する（ステップＳ１７）。コンテンツ情報の転送は、例えば、利用者の操作によって転送先のモバイル通信装置との通信を確立してコンテンツ情報を転送するようにしてもよい。
【００５４】
なお、本実施形態においてはコンテンツが検出された場合、常にコンテンツ情報を生成して転送する場合を説明しているが、例えば、モバイル機能検出部１６においてモバイル機能が検出された場合、コンテンツ情報をモバイル通信装置に転送する代わりに自機のモバイル機能を利用したモバイル通信を実行するようにしてもよい。すなわち、携帯端末１は、モバイル機能が検出されなかった場合のみ、モバイル通信装置に対してコンテンツ情報を生成して転送するようにしてもよい。
【００５５】
ステップＳ１７の処理を実行した後、携帯端末１は、メモリ領域の監視を終了するか否かを判断する（ステップＳ１８）。メモリ領域の監視を終了するか否かは、例えば、メモリ領域の監視を終了する利用者の明示的な操作があったかで判断することができる。メモリ領域の監視を終了しないと判断した場合（ステップＳ１８：ＮＯ）、携帯端末１は、ステップＳ１２の処理に戻り表示データが記録されるのを待機する。一方、メモリ領域の監視を終了すると判断した場合（ステップＳ１８：ＹＥＳ）、携帯端末１は、フローチャートに示す動作を終了する。
【００５６】
次に、図４を用いて、表示データの第２の取得方法における携帯端末制御プログラムの動作を説明する。図４は、実施形態における携帯端末制御プログラムの動作の他の一例を示すフローチャートである。
【００５７】
図３において、携帯端末１は、共有先アプリとしてコンテンツ情報転送アプリが選択されたか否かを判断する（ステップＳ２１）。共有先アプリとしてコンテンツ情報転送アプリが選択されたか否かは、利用者が表示データの所定の範囲を選択したときに表示画面に表示される共有ボタンを操作して、表示されるアプリの一覧からコンテンツ情報転送アプリが選択されたか否かで判断することができる。コンテンツ情報転送アプリが選択されていないと判断した場合（ステップＳ２１：ＮＯ）、携帯端末１は、ステップＳ２１の処理を繰り返して、コンテンツ情報転送アプリが選択されるのを待機する。
【００５８】
コンテンツ情報転送アプリが選択されたと判断した場合（ステップＳ２１：ＹＥＳ）、携帯端末１は、コンテンツ情報転送アプリを起動する（ステップＳ２２）。ンテンツ情報転送アプリの起動は、携帯端末１のＯＳが実行することができる。ステップＳ２２の処理を実行した後、携帯端末１は、表示データを取得する（ステップＳ２３）。なお、ステップＳ２３〜ステップＳ２８の処理は、図３で説明したステップＳ１３〜ステップＳ１８の処理と同様であるため説明を省略する。
【００５９】
次に、図５を用いて、モバイル通信装置のソフトウェア構成を説明する。図５は、実施形態におけるモバイル通信装置のソフトウェア構成の一例を示すブロック図である。
【００６０】
図５において、モバイル通信装置２は、無線通信制御部２１、モバイル通信制御部２２、コンテンツ情報取得部２３、モバイル通信開始部２４および表示制御部２５の各機能を有する。本実施形態におけるモバイル通信装置２の上記各機能は、モバイル通信装置２を制御するモバイル通信装置制御プログラム（ソフトウェア）によって実現される機能モジュールであるものとして説明する。
【００６１】
無線通信制御部２１は、携帯端末１との無線通信を制御する。無線通信制御部２１は、携帯端末１の無線通信制御部１７に対応する機能であるため、通信方式等の説明は省略する。
【００６２】
モバイル通信制御部２２は、基地局を介したモバイル通信を制御する。モバイル通信とは、携帯電話事業者等が提供する回線を利用した通信である。
【００６３】
コンテンツ情報取得部２３は、携帯端末１からコンテンツ情報を取得する。コンテンツ情報は、上述の通り、携帯端末１の表示画面に表示された表示データの中から抽出されたコンテンツに基づく情報である。コンテンツ情報取得部２３は、無線通信制御部２１で接続された携帯端末１から無線通信を介してコンテンツ情報を取得する。
【００６４】
モバイル通信開始部２４は、コンテンツ情報取得部２３において取得されたコンテンツ情報に基づき、基地局を介したモバイル通信を開始する。モバイル通信開始部２４は、表示部にコンテンツ情報に基づく動作を選択可能に表示して、利用者の選択に応じてモバイル通信を開始してもよい。例えば、コンテンツが電話番号であった場合、モバイル通信開始部２４は、電話番号に基づく架電を開始するか否かのダイアログを表示画面に表示して、利用者が架電の開始を指示した場合にモバイル通信を利用した架電を開始してもよい。また、コンテンツがＵＲＬであった場合、モバイル通信開始部２４は、ＵＲＬに対するインターネット通信を開始するか否かのダイアログを表示画面に表示して、利用者がインターネット通信の開始を指示した場合にモバイルデータ通信を開始してもよい。
【００６５】
表示制御部２５は、モバイル通信装置２の表示画面の表示を制御する。
【００６６】
なお、モバイル通信装置２が有する各機能は、携帯端末１における各機能と同様に、モバイル通信装置２の機能の一例を示したものであり、携帯端末が有する機能を限定したものではない。
【００６７】
次に、図６を用いて、モバイル通信装置２の動作を説明する。図６は、実施形態におけるモバイル通信装置２の制御プログラムの動作の他の一例を示すフローチャートである。
【００６８】
図６において、モバイル通信装置２は、携帯端末１からコンテンツ情報が転送されたか否かを判断する（ステップＳ３１）。コンテンツ情報が転送されたか否かは、コンテンツ情報取得部２３において判断される。コンテンツ情報が転送されていないと判断した場合（ステップＳ３１：ＮＯ）、モバイル通信装置２は、ステップＳ３１の処理を繰り返して、コンテンツ情報が転送されるのを待機する。
【００６９】
一方、コンテンツ情報が転送されたと判断した場合（ステップＳ３１：ＹＥＳ）、モバイル通信装置２は、コンテンツ情報に対応するアプリを起動して（ステップＳ３２）、モバイル通信を実行する（ステップＳ３３）。例えば、コンテンツがＵＲＬであった場合、モバイル通信装置２は、Ｗｅｂブラウザアプリを起動して、ＵＲＬに示されたＷｅｂページを表示する。また、コンテンツが電話番号であった場合、モバイル通信装置２は、電話アプリを起動して、電話番号に示された相手先に架電する。ステップＳ３３を実行した後、モバイル通信装置２は、フローチャートに示す動作を終了する。
【００７０】
次に、図７から図１１を用いて、携帯端末１における画面操作を説明する。図７から図１１は、実施形態における携帯端末１の表示画面における表示の一例を示す図である。
【００７１】
図７において、携帯端末１のタッチパネル１０４には、Ｗｅｂページの表示データが表示されている。表示データには、テキスト情報が表示されており、テキストデータにはハイパーリンクは付されていないものとする。
【００７２】
利用者が表示データの中からＵＲＬを含むテキスト部分を選択すると、テキスト部分の中の選択領域１０４ａがマーカー表示され、さらにコピーボタン１０４ｃと共有ボタン１０４ｄが表示される。
【００７３】
ここで、利用者がタッチパネル１０４上でコピーボタン１０４ｃを押下すると、選択領域１０４ａで選択された領域のテキストデータが表示データ取得部１１によって取得される。取得されたテキストデータは、コンテンツ抽出部１２において処理されて、テキストデータに含まれるＵＲＬがコンテンツとして抽出される。
【００７４】
図８において、タッチパネル１０４には、抽出されたＵＲＬと転送可否の選択ボタンが表示される。ここで利用者が「はい」の選択ボタンを押下すると、ＵＲＬを含む情報がモバイル通信装置２に転送される。モバイル通信装置２は転送されたＵＲＬに基づきブラウザを起動して、ＵＲＬで示されたＷｅｂページを表示する。
【００７５】
図９において、携帯端末１のタッチパネル１０４には、図７と同様のＷｅｂページの表示データが表示されている。表示データには、テキスト情報が表示されており、テキストデータにはハイパーリンクは付されていないものとする。
【００７６】
利用者が表示データの中から電話番号を含むテキスト部分を選択すると、テキスト部分の中の選択領域１０４ａがマーカー表示され、さらにコピーボタン１０４ｃと共有ボタン１０４ｄが表示される。ここで、利用者がタッチパネル１０４上で共有ボタン１０４ｄを押下すると、図１０に示す画面表示に推移する。
【００７７】
図１０において、タッチパネル１０４には、アプリ選択画面１０４ｆが表示される。アプリ選択画面１０４ｆには、アプリＡ〜アプリＨの選択ボタンが表示される。ここで選択ボタン１０４ｇのアプリＨは、コンテンツ情報転送アプリであるものとする。ここで利用者が選択ボタン１０４ｇのアプリＨを選択すると、図１１に示す画面表示に推移する。
【００７８】
図１１において、タッチパネル１０４には、抽出された電話番号と転送可否の選択ボタンが表示される。ここで利用者が「はい」の選択ボタンを押下すると、電話番号を含む情報がモバイル通信装置２に転送される。モバイル通信装置２は転送された電話番号に基づき電話アプリを起動して、電話番号で示された相手先に架電する。
【００７９】
なお、本実施形態で説明した、携帯端末１またはモバイル通信装置２における各ステップにおける処理は、実行順序を限定するものではない。
【００８０】
また、本実施形態で説明した装置を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組合わせで実現するもの、いわゆる差分ファイル（差分プログラム）であっても良い。
【００８２】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【００８３】
１      携帯端末
１１    表示データ取得部
１２    コンテンツ抽出部
１３    コンテンツ情報生成部
１４    コンテンツ情報転送部
１５    アプリ制御部
１６    モバイル機能検出部
１７    無線通信制御部
１８    表示制御部
２      モバイル通信装置
２１    無線通信制御部
２２    モバイル通信制御部
２３    コンテンツ情報取得部
２４    モバイル通信開始部
２５    表示制御部
１０１  ＣＰＵ
１０２  ＲＡＭ
１０３  ＲＯＭ
１０４  タッチパネル
１０５    通信Ｉ／Ｆ
【図１】
2019101884.tif 000003
【図２】
2019101884.tif 000004
【図３】
2019101884.tif 000005
【図４】
2019101884.tif 000006
【図５】
2019101884.tif 000007
【図６】
2019101884.tif 000008
【図７】
2019101884.tif 000009
【図８】
2019101884.tif 000010
【図９】
2019101884.tif 000011
【図１０】
2019101884.tif 000012
【図１１】
2019101884.tif 000013
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
携帯端末であって、
表示画面に表示するための、リンクの設定されていない表示データに含まれるテキストデータを取得するテキストデータ取得部と、
取得された前記テキストデータに含まれるコンテンツを抽出するコンテンツ抽出部と、
基地局を介したモバイル通信機能を有するモバイル通信装置に対して、抽出された前記コンテンツに係るコンテンツ情報を転送するコンテンツ情報転送部とを備え、
前記テキストデータ取得部は、前記携帯端末の利用者が前記表示データの所定の範囲を選択したときに前記表示画面に表示される共有ボタンを前記利用者が操作し、前記所定の範囲に含まれるコンテンツを、前記モバイル通信装置に対して転送させる旨の選択が行われた場合に、前記テキストデータを取得する、携帯端末。
【請求項２】
前記テキストデータ取得部は、前記携帯端末の利用者が前記表示データの所定の範囲を選択したときに前記表示画面に表示される前記範囲をコピーするためのコピーボタンを前記利用者が押下した場合に前記テキストデータを取得する、請求項１に記載の携帯端末。
【請求項３】
前記携帯端末において動作する複数のアプリケーションプログラムを制御するアプリ制御部さらに備え、
前記テキストデータ取得部は、前記所定の範囲を所定のアプリケーションプログラムにおいて共有させた場合に前記テキストデータを取得する、請求項１又は２に記載の携帯端末。
【請求項４】
前記コンテンツ抽出部は、前記コンテンツとして電話番号を抽出し、
前記コンテンツ情報転送部は、前記コンテンツ情報として抽出した前記電話番号に基づき前記モバイル通信装置において架電を可能にする架電情報を転送する、請求項１から３のいずれか一項に記載の携帯端末。
【請求項５】
前記コンテンツ抽出部は、前記コンテンツとして郵便番号を抽出し、
前記コンテンツ情報転送部は、前記コンテンツ情報として抽出した前記郵便番号に基づく住所を検索して、検索された前記住所を転送する、請求項１から４のいずれか一項に記載の携帯端末。
【請求項６】
前記コンテンツ抽出部は、前記コンテンツとして人名を抽出し、
前記コンテンツ情報転送部は、前記コンテンツ情報として抽出した前記人名に基づく住所又は連絡先を検索して、検索された前記住所又は連絡先を転送する、請求項１から５のいずれか一項に記載の携帯端末。
【請求項７】
前記コンテンツ情報転送部は、転送先として予め設定された通信装置に対して前記コンテンツ情報を転送する、請求項１から６のいずれか一項に記載の携帯端末。
【請求項８】
前記コンテンツ情報転送部は、無線通信において予めペアリングされた通信装置に対して前記コンテンツ情報を転送する、請求項７に記載の携帯端末。
【請求項９】
前記携帯端末が前記モバイル通信機能を有するか否かを検出するモバイル機能検出部をさらに備え、
前記コンテンツ情報転送部は、前記モバイル通信機能が検出されなかった場合に前記コンテンツ情報を転送する、請求項１から８のいずれか一項に記載の携帯端末。
【請求項１０】
表示画面に表示された表示データの中からコンテンツを抽出する携帯端末から、抽出された前記コンテンツに基づくコンテンツ情報を取得するコンテンツ情報取得部と、
取得された前記コンテンツ情報に基づき、基地局を介したモバイル通信を開始するモバイル通信開始部と
を備える、モバイル通信装置。
【請求項１１】
携帯端末の制御方法であって、
表示画面に表示するための、リンクの設定されていない表示データに含まれるテキストデータを取得するテキストデータ取得ステップと、
取得された前記テキストデータに含まれるコンテンツを抽出するコンテンツ抽出ステップと、
基地局を介したモバイル通信機能を有するモバイル通信装置に対して、抽出された前記コンテンツに係るコンテンツ情報を転送するコンテンツ情報転送ステップと、
を含み、
前記テキストデータ取得ステップは、前記携帯端末の利用者が前記表示データの所定の範囲を選択したときに前記表示画面に表示される共有ボタンを前記利用者が操作し、前記所定の範囲に含まれるコンテンツを、前記モバイル通信装置に対して転送させる旨の選択が行われた場合に、前記テキストデータを取得する、携帯端末の制御方法。
【請求項１２】
携帯端末に、
表示画面に表示するための、リンクの設定されていない表示データに含まれるテキストデータを取得するテキストデータ取得機能と、
取得された前記テキストデータに含まれるコンテンツを抽出するコンテンツ抽出機能と、
基地局を介したモバイル通信機能を有するモバイル通信装置に対して、抽出された前記コンテンツに係るコンテンツ情報を転送するコンテンツ情報転送機能と、
を実現させ、
前記テキストデータ取得機能は、前記携帯端末の利用者が前記表示データの所定の範囲を選択したときに前記表示画面に表示される共有ボタンを前記利用者が操作し、前記所定の範囲に含まれるコンテンツを、前記モバイル通信装置に対して転送させる旨の選択が行われた場合に、前記テキストデータを取得する、制御プログラム。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
携帯端末であって、
表示画面に表示するための、リンクの設定されていない表示データに含まれるテキストデータを取得するテキストデータ取得部と、
取得された前記テキストデータに含まれるコンテンツを抽出するコンテンツ抽出部と、
基地局を介したモバイル通信機能を有するモバイル通信装置に対して、抽出された前記コンテンツに係るコンテンツ情報を転送するコンテンツ情報転送部とを備え、
前記テキストデータ取得部は、前記携帯端末の利用者が前記表示データの所定の範囲を選択したときに前記表示画面に表示される共有ボタンを前記利用者が操作し、前記所定の範囲に含まれるコンテンツを、前記モバイル通信装置に対して転送させる旨の選択が行われた場合に、前記テキストデータを取得し、
前記コンテンツ情報転送部は、前記コンテンツを暗号化処理した前記コンテンツ情報を転送する、携帯端末。
【請求項２】
前記テキストデータ取得部は、前記携帯端末の利用者が前記表示データの所定の範囲を選択したときに前記表示画面に表示される前記範囲をコピーするためのコピーボタンを前記利用者が押下した場合に前記テキストデータを取得する、請求項１に記載の携帯端末。
【請求項３】
前記携帯端末において動作する複数のアプリケーションプログラムを制御するアプリ制御部さらに備え、
前記テキストデータ取得部は、前記所定の範囲を所定のアプリケーションプログラムにおいて共有させた場合に前記テキストデータを取得する、請求項１又は２に記載の携帯端末。
【請求項４】
前記コンテンツ抽出部は、前記コンテンツとして電話番号を抽出し、
前記コンテンツ情報転送部は、前記コンテンツ情報として抽出した前記電話番号に基づき前記モバイル通信装置において架電を可能にする架電情報を転送する、請求項１から３のいずれか一項に記載の携帯端末。
【請求項５】
前記コンテンツ抽出部は、前記コンテンツとして郵便番号を抽出し、
前記コンテンツ情報転送部は、前記コンテンツ情報として抽出した前記郵便番号に基づく住所を検索して、検索された前記住所を転送する、請求項１から４のいずれか一項に記載の携帯端末。
【請求項６】
前記コンテンツ抽出部は、前記コンテンツとして人名を抽出し、
前記コンテンツ情報転送部は、前記コンテンツ情報として抽出した前記人名に基づく住所又は連絡先を検索して、検索された前記住所又は連絡先を転送する、請求項１から５のいずれか一項に記載の携帯端末。
【請求項７】
前記コンテンツ情報転送部は、転送先として予め設定された通信装置に対して前記コンテンツ情報を転送する、請求項１から６のいずれか一項に記載の携帯端末。
【請求項８】
前記コンテンツ情報転送部は、無線通信において予めペアリングされた通信装置に対して前記コンテンツ情報を転送する、請求項７に記載の携帯端末。
【請求項９】
前記携帯端末が前記モバイル通信機能を有するか否かを検出するモバイル機能検出部をさらに備え、
前記コンテンツ情報転送部は、前記モバイル通信機能が検出されなかった場合に前記コンテンツ情報を転送する、請求項１から８のいずれか一項に記載の携帯端末。
【請求項１０】
表示画面に表示された表示データの中からコンテンツを抽出する携帯端末から、抽出された前記コンテンツに基づくコンテンツ情報を取得するコンテンツ情報取得部と、
取得された前記コンテンツ情報に基づき、基地局を介したモバイル通信を開始するモバイル通信開始部と
を備える、モバイル通信装置。
【請求項１１】
携帯端末の制御方法であって、
表示画面に表示するための、リンクの設定されていない表示データに含まれるテキストデータを取得するテキストデータ取得ステップと、
取得された前記テキストデータに含まれるコンテンツを抽出するコンテンツ抽出ステップと、
基地局を介したモバイル通信機能を有するモバイル通信装置に対して、抽出された前記コンテンツに係るコンテンツ情報を転送するコンテンツ情報転送ステップと、
を含み、
前記テキストデータ取得ステップは、前記携帯端末の利用者が前記表示データの所定の範囲を選択したときに前記表示画面に表示される共有ボタンを前記利用者が操作し、前記所定の範囲に含まれるコンテンツを、前記モバイル通信装置に対して転送させる旨の選択が行われた場合に、前記テキストデータを取得し、
前記コンテンツ情報転送ステップは、前記コンテンツを暗号化処理した前記コンテンツ情報を転送する、携帯端末の制御方法。
【請求項１２】
携帯端末に、
表示画面に表示するための、リンクの設定されていない表示データに含まれるテキストデータを取得するテキストデータ取得機能と、
取得された前記テキストデータに含まれるコンテンツを抽出するコンテンツ抽出機能と、
基地局を介したモバイル通信機能を有するモバイル通信装置に対して、抽出された前記コンテンツに係るコンテンツ情報を転送するコンテンツ情報転送機能と、
を実現させ、
前記テキストデータ取得機能は、前記携帯端末の利用者が前記表示データの所定の範囲を選択したときに前記表示画面に表示される共有ボタンを前記利用者が操作し、前記所定の範囲に含まれるコンテンツを、前記モバイル通信装置に対して転送させる旨の選択が行われた場合に、前記テキストデータを取得し、
前記コンテンツ情報転送機能は、前記コンテンツを暗号化処理した前記コンテンツ情報を転送する、制御プログラム。